(57)【要約】本発明は、プロラクチンを用いて、神経幹細胞の数または神経新生を増加させる方法を提供する。この方法は、インサイチュでより多くの神経幹細胞を得るためにインビボで実行され得、欠損または機能不全の神経細胞を補償するためにより多くのニューロンまたはグリア細胞を、順次産生し得る。この方法はまた、培養において多くの神経幹細胞を産生するためにインビトロで実施され得る。この培養された幹細胞は、例えば、神経変性疾患または神経変性状態に罹患した患者または動物の移植処置のために使用され得る。さらに、神経幹細胞は嗅覚神経の供給源であるので、本発明はまた、嗅覚神経を増加させる方法および嗅覚機能を促進する方法を提供する。【特許請求の範囲】
【請求項１】
神経幹細胞の数を増加させる条件下で、少なくとも１つの神経幹細胞に、有効量のプロラクチンを提供する工程を包含する、神経幹細胞の数を増加させる、方法。
【請求項２】
前記神経幹細胞が、哺乳動物の脳に局在する、請求項１に記載の方法。
【請求項３】
前記神経幹細胞が、脳室下帯に局在する、請求項２に記載の方法。
【請求項４】
前記プロラクチンが、脳室に投与される、請求項３に記載の方法。
【請求項５】
前記哺乳動物が、成体哺乳動物である、請求項２に記載の方法。
【請求項６】
前記哺乳動物が、神経変性疾患または神経変性状態に罹患しているか、あるいは該神経変性疾患または神経変性状態を有する疑いがある、請求項２に記載の方法。
【請求項７】
前記神経幹細胞が、インビトロで培養される、請求項１に記載の方法。
【請求項８】
少なくとも１つのさらなる因子を、前記神経幹細胞に提供する工程をさらに包含する、請求項１に記載の方法。
【請求項９】
前記さらなる因子が、エリスロポエチン、サイクリックＡＭＰ、下垂体アデニレートシクラーゼ活性化ポリペプチド（ＰＡＣＡＰ）、セロトニン、骨形成タンパク質（ＢＭＰ）、上皮成長因子（ＥＧＦ）、トランスホーミング成長因子α（ＴＧＦ）、線維芽細胞増殖因子（ＦＧＦ）、エストロゲン、成長ホルモン、インスリン様成長因子１、および毛様体神経栄養因子（ＣＮＴＦ）からなる群より選択される、請求項８に記載の方法。
【請求項１０】
哺乳動物における神経変性疾患または神経変性状態を処置または緩和させる方法であって、該哺乳動物に有効量のプロラクチンを提供する工程を包含する、方法。
【請求項１１】
前記疾患または障害が、脳損傷である、請求項１０に記載の方法。
【請求項１２】
前記脳損傷が、発作である、請求項１１に記載の方法。
【請求項１３】
前記脳損傷が、脳の手術に関連する、請求項１１に記載の方法。
【請求項１４】
前記神経変性疾患または神経変性状態が、アルツハイマー病、多発性硬化症、ハンティングトン病、筋萎縮性側索硬化症、およびパーキンソン病からなる群より選択される、請求項１０に記載の方法。
【請求項１５】
前記哺乳動物が、プロラクチンの前にまたはプロラクチンと同時に、神経幹細胞および／または神経幹細胞子孫の移植を受ける、請求項１０に記載の方法。
【請求項１６】
少なくとも１つのさらなる因子を、前記哺乳動物に提供する工程をさらに包含する、請求項１０に記載の方法。
【請求項１７】
前記さらなる因子が、エリスロポエチン、サイクリックＡＭＰ、下垂体アデニレートシクラーゼ活性化ポリペプチド（ＰＡＣＡＰ）、セロトニン、骨形成タンパク質（ＢＭＰ）、上皮成長因子（ＥＧＦ）、トランスホーミング成長因子α（ＴＧＦ）、線維芽細胞増殖因子（ＦＧＦ）、エストロゲン、成長ホルモン、インスリン様成長因子１、および毛様体神経栄養因子（ＣＮＴＦ）からなる群より選択される、請求項１６に記載の方法。
【請求項１８】
前記プロラクチンが、血管内投与、髄腔内投与、静脈内投与、筋肉内投与、皮下的投与、腹腔内投与、局所的投与、経口的投与、直腸内投与、膣内投与、鼻腔内投与、吸入投与され得るか、または脳内に該プロラクチンを投与することよって提供される、請求項１０に記載の方法。
【請求項１９】
前記プロラクチンが、皮下投与される、請求項１０に記載の方法。
【請求項２０】
前記プロラクチンが、有効量のプロラクチン誘導剤を前記哺乳動物に投与することによって提供される、請求項１０に記載の方法。
【請求項２１】
前記プロラクチン誘導剤が、プロラクチン放出ペプチドである、請求項２０に記載の方法。
【請求項２２】
神経幹細胞からのニューロン形成を促進する方法であって、該神経幹細胞からのニューロン形成を促進する条件下で、少なくとも１つの神経幹細胞にプロラクチンを提供する工程を包含する、方法。
【請求項２３】
前記神経幹細胞が、哺乳動物の脳に局在する、請求項２２に記載の方法。
【請求項２４】
前記神経幹細胞が、脳室下帯に局在する、請求項２３に記載の方法。
【請求項２５】
前記プロラクチンが、脳室に投与される、請求項２３に記載の方法。
【請求項２６】
前記哺乳動物が、成体哺乳動物である、請求項２３に記載の方法。
【請求項２７】
前記神経幹細胞が、インビトロで培養される、請求項２２に記載の方法。
【請求項２８】
少なくとも１つのさらなる因子を、前記神経幹細胞に提供する工程をさらに包含する、請求項２２に記載の方法。
【請求項２９】
前記さらなる因子が、エリスロポエチン、サイクリックＡＭＰ、下垂体アデニレートシクラーゼ活性化ポリペプチド（ＰＡＣＡＰ）、セロトニン、上皮成長因子（ＥＧＦ）、トランスホーミング成長因子α（ＴＧＦ）、線維芽細胞増殖因子（ＦＧＦ）、エストロゲン、成長ホルモン、インスリン様成長因子１、および毛様体神経栄養因子（ＣＮＴＦ）からなる群より選択される、請求項２８に記載の方法。
【請求項３０】
哺乳動物の嗅球におけるニューロン新成を増加させる方法であって、該哺乳動物に、有効量のプロラクチンを提供する工程を包含する、方法。
【発明の詳細な説明】
【技術分野】
【０００１】
（発明の分野）
本発明は、プロラクチンを用いて、神経幹細胞の数、神経新生もしくは嗅覚神経の数を増加させる方法、ならびに神経変性疾患または神経変性状態を処置または緩和させる方法に関する。
【０００２】
（参考文献）
【０００３】
【数１】
2005501924.tif 000002
2005501924.tif 000003
2005501924.tif 000004
本出願において上記または他の部分に引用される刊行物、特許および特許出願の全ては、各個々の刊行物、特許または特許出願の開示がその全体において参考として援用されることが具体的にかつ別個に示されるのと同じ程度まで、その全体が参考として本明細書中に援用される。
【背景技術】
【０００４】
（発明の背景）
近年、神経変性疾患は、これらの障害に関する多大な危険のある高齢者の増加に起因して、重大な懸念となっている。神経変性疾患としては、中枢神経系（ＣＮＳ）の特定部位における神経系細胞（ｎｅｕｒａｌ  ｃｅｌｌ）の変性に関連している疾患が挙げられ、意図された機能を実行するこれらの細胞の能力を不能にする。これらの疾患としては、アルツハイマー病、多発性硬化症（ＭＳ）、ハンティングトン病、筋萎縮性側索硬化症、およびパーキンソン病が挙げられる。さらに、おそらく（罹患した人の数に対する）ＣＮＳ機能不全の最大領域は、神経系細胞の欠損によってではなく、存在する神経系細胞の異常な機能によって特徴付けられている。これは、ニューロンの不適切な興奮、または神経伝達物質の異常な合成、放出、およびプロセシングに起因し得る。これらの機能不全は、うつ病および癲癇のような十分に研究され特徴付けられた障害、または壊死および精神病ようなあまり理解されていない障害の結果であり得る。さらに、脳損傷は、しばしば、神経系細胞の欠損、罹患した脳の部位の不適切な機能、およびその結果の行動異常を生じる。
【０００５】
従って、神経変性疾患または神経変性状態を処置するために、変性したニューロンまたは欠損したニューロンを補償するように脳に神経系細胞を供給することが望ましい。この目標のための１つのアプローチは、患者の脳に神経系細胞を移植することである。このアプローチは、好ましくは、対移植片性宿主拒絶（ｈｏｓｔ−ｖｅｒｓｕｓ−ｇｒａｆｔ−ｒｅｊｅｃｔｉｏｎ）もしくは対宿主性移植片拒絶が最小になり得るように、同じ個体または非常に関連する個体に由来する神経系細胞の多量の供給源を必要とする。１人の人物から多量のニューロンまたはグリア細胞を取り出し、別の人物に移植することは現実的ではないので、多量の神経系細胞を培養する方法が、このアプローチの成功には必須である。
【０００６】
別のアプローチは、欠損または変性した細胞を補償するために、インサイチュで神経系細胞の産生を誘導することである。このアプローチは、脳（特に成体の脳）において神経系細胞を産生することが可能であるか否か、およびその方法についての広い知識を必要とする。
【０００７】
多能性神経幹細胞の単離およびインビトロ培養についての技術（例えば、米国特許第５，７５０，３７６号；同第５，９８０，８８５号；同第５，８５１，８３２号を参照のこと）の開発は、両方のアプローチの見込みを非常に増大させた。胎児の脳は、インビトロにて多能性神経幹細胞を単離し、そして培養するために用いられ得ることが発見された。さらに、生体の脳細胞は、脳細胞を複製も再生もできないと長い間考えられてきたこととは対照的に、神経幹細胞は、成体の哺乳動物の脳からも単離され得ることが発見された。胎児または生体の脳のいずれかに由来するこれらの幹細胞は、自己複製し得る。子孫細胞は、再び増殖し得るか、または神経系の細胞系統（ニューロン、星状細胞および稀突起神経膠細胞を含む）の任意の細胞に分化し得る。それゆえ、これらの知見は、移植に用いられ得る神経系細胞の供給源を提供するだけでなく、成体脳における多能性神経幹細胞の存在およびインサイチュにおいてこれらの幹細胞からニューロンまたはグリア細胞を産生する能力もまた、実証する。
【発明の開示】
【発明が解決しようとする課題】
【０００８】
従って、以下の２つの目的のために、神経幹細胞を効率的に産生する方法を開発することが望ましい：より多くの幹細胞および今後、移植治療において使用され得る神経細胞を得ること、ならびにインサイチュでより多くの幹細胞を産生するために使用され得る方法を同定すること。
【課題を解決するための手段】
【０００９】
（発明の要旨）
本発明は、プロラクチンを使用することによって神経幹細胞数を増加させる方法を提供する。この方法は、インサイチュでより多くの神経幹細胞を得るためにインビボで実施され得、これは、次いで、欠損した神経系細胞または機能不全の神経系細胞を補償するためにより多くのニューロンまたはグリア細胞を産生し得る。この方法はまた、培地中で多くの神経幹細胞を産生するために、インビトロで実施され得る。この培養された幹細胞は、例えば、神経変性疾患または神経変性状態に罹患しているか、あるいは神経変性疾患または神経変性状態を有すると疑われる患者または動物の移植処置のために使用され得る。
【００１０】
従って、本発明の１局面は、神経幹細胞数を増加させる方法を提供し、この方法は、神経幹細胞の数の増加を生じる条件下で少なくとも１つの神経幹細胞に対して有効量のプロラクチンを提供する工程を包含する。この神経幹細胞は、哺乳動物の脳に、特に哺乳動物の脳室下帯（ｓｕｂｖｅｎｔｒｉｃｕｌａｒ）に配置され得る。好ましくは、プロラクチンは、脳室に投与される。全ての年齢の哺乳動物がこの方法に供され得るが、この哺乳動物が胚ではないことが好ましい。より好ましくは、哺乳動物は成体である。
【００１１】
哺乳動物は、神経変性疾患または神経変性状態に罹患しているか、あるいはこれらを有すると疑われ得る。この疾患または状態は、脳の外科手術によって引き起こされる発作または損傷のような脳損傷であり得る。この疾患または状態は、加齢であり得、加齢は、神経幹細胞の数が非常に減少することに関連する。この疾患または状態はまた、神経変性疾患、特にアルツハイマー病、多発性硬化症、ハンティングトン病、筋萎縮性側索硬化症、およびパーキンソン病であり得る。
【００１２】
あるいは、神経幹細胞は、インビトロで培養物内で存在し得る。
【００１３】
プロラクチンがインビボまたはインビトロのいずれかで使用されるに関わらず、他の因子がプロラクチンと組み合わせて適用され得、ここでこの他の因子として、エリスロポエチン、環状ＡＭＰ、下垂体アデニル酸シクラーゼ活性化ポリペプチド（ＰＡＣＡＰ）、セロトニン、骨形態形成タンパク質（ＢＭＰ）、上皮増殖因子（ＥＧＦ）、形質転換増殖因子α（ＴＧＦ）、線維芽細胞増殖因子（ＦＧＦ）、エストロゲン、成長ホルモン、インスリン様増殖因子Ｉ、および／または繊毛神経栄養因子（ＣＮＴＦ）が挙げられる。プロラクチンは、幹細胞数の増加を誘導し得る任意のプロラクチンアナログまたは改変体であり得る。好ましくは、このプロラクチンは、哺乳動物プロラクチン、より好ましくはヒトプロラクチンである。
【００１４】
本発明の別の局面は、哺乳動物における神経変性疾患または神経変性状態を処置または改善する方法を提供し、この方法は、哺乳動物の脳に有効量のプロラクチンを提供する工程を包含する。この疾患または状態は、脳手術によって引き起こされる発作または傷害のような脳傷害であり得る。この疾患または状態は加齢であり、これは、神経幹細胞の数の有意な減少と関連している。この疾患または状態はまた、神経変性疾患、特にアルツハイマー病、多発性硬化症、ハンティングトン病、筋萎縮性側索硬化症、またはパーキンソン病であり得る。
【００１５】
哺乳動物は、必要に応じて、神経幹細胞および／または神経幹細胞子孫の移植を受容し得る。この移植は、哺乳動物がプロラクチンを受容する前、プロラクチンを受容した後、またはプロラクチンを受容するのと同時に、起こり得る。好ましくは、哺乳動物は、プロラクチンの前に、またはプロラクチンと同時に移植を受容する。
【００１６】
哺乳動物は、必要に応じて、少なくとも１つの追加の因子、例えば、エリスロポエチン、環状ＡＭＰ、下垂体アデニル酸シクラーゼ活性化ポリペプチド（ＰＡＣＡＰ）、セロトニン、骨形態形成タンパク質（ＢＭＰ）、上皮増殖因子（ＥＧＦ）、形質転換増殖因子α（ＴＧＦ）、線維芽細胞増殖因子（ＦＧＦ）、エストロゲン、成長ホルモン、インスリン様増殖因子１、および／または繊毛神経栄養因子（ＣＮＴＦ）を受容し得る。
【００１７】
プロラクチンおよび／または追加の因子は、当該分野で確立された任意の方法によって提供され得る。例えば、それらは、脈管内、くも膜下腔内、静脈内、筋内、皮下、腹腔内、局所的、経口、直腸、膣、鼻腔、吸息によってまたは脳内に投与され得る。この投与は、好ましくは全身投与（特に、皮下投与）により送達される。プロラクチンまたは追加の因子はまた、哺乳動物における内因性プロラクチンまたは追加の因子の量を増加し得る有効量の薬剤を哺乳動物に投与することによって提供され得る。例えば、哺乳動物におけるプロラクチンのレベルは、プロラクチン放出ペプチドを使用することによって増加され得る。
【００１８】
プロラクチンまたは任意の追加の因子が、脳に直接送達されない場合、血液脳関門浸透剤が、脳への進入を容易にするために必要に応じて含まれ得る。血液脳関門浸透剤は、当該分野で公知であり、これらとしては、例として、米国特許第５，６８６，４１６号；同第５，５０６，２０６号および同第５，２６８，１６４号に記載されるブラジキニンおよびブラジキニンアゴニスト（例えば、ＮＨ２−アルギニン−プロリン−ヒドロキシプロキシプロリン−グリシン−チエニルアラニン−セリン−プロリン−４−Ｍｅ−チロシン□（ＣＨ２ＮＨ）−アルギニン−ＣＯＯＨ）が挙げられる。あるいは、これらの因子は、米国特許第６，３２９，５０８号；同第６，０１５，５５５号；同第５，８３３，９８８号または同第５，５２７，５２７号に記載されるようなトランスフェリンレセプター抗体に結合体化され得る。これらの因子はまた、その因子と、脳毛細管内皮細胞レセプター（例えば、トランスフェリンレセプター）と反応性のリガンド（例えば、米国特許第５，９７７，３０７号を参照のこと）とを含む融合タンパク質として送達され得る。
【００１９】
本発明の別の局面は、神経幹細胞からのニューロン形成を向上させる方法を提供し、この方法は、上記神経幹細胞からの向上したニューロン形成を生じる条件下で少なくとも１つの神経幹細胞にプロラクチンを提供する工程を包含する。さらに、哺乳動物の嗅球における新しいニューロン形成を増加させる方法が提供され、この方法は、哺乳動物に有効量のプロラクチンを提供する工程を包含する。プロラクチンおよび少なくとも１つの追加の因子を含む組成物および薬学的組成物もまた、提供される。
【００２０】
本発明のさらなる局面は、本発明において有用な組成物および薬学的組成物を提供し、この組成物は、プロラクチンおよび必要に応じて追加の因子を含む。この組成物または薬学的組成物は、好ましくは、プロラクチンおよびエリスロポイエチン、プロラクチンおよびＥＧＦ、またはプロラクチンおよびＰＡＣＡＰを含む。
【００２１】
（発明の詳細な説明）
本発明は、プロラクチンを使用することによって神経幹細胞数を増加させる方法を提供する。この方法は、インサイチュでより多くの神経幹細胞を得るためにインビボで実施され得、これは、欠損した神経系細胞または機能不全の神経系細胞を補償するためにより多くのニューロンまたはグリア細胞を産生し得る。この方法はまた、培地における多くの神経幹細胞を産生するためにインビトロで実施され得る。この培養された幹細胞は、例えば、神経変性疾患または神経変性状態に罹患しているか、あるいは神経変性疾患または神経変性状態を有すると疑われる患者または動物の移植処置のために、使用され得る。
【００２２】
本発明をさらに詳細に記載する前に、本明細書中において使用される用語は、別の指示がない限り、以下のように定義される。
【００２３】
（定義）
「神経幹細胞」は、神経系の細胞系統における幹細胞である。幹細胞は、自己複製し得る細胞である。言い換えると、幹細胞の分割から生じた娘細胞は幹細胞を含む。神経幹細胞は、神経系の細胞系統における全ての細胞型（ニューロン、アストロサイトおよびオリゴデンドロサイト（アストロサイトおよびオリゴデンドロサイトはまとめて、グリアまたはグリア細胞と呼ばれる）を含む）に最終的に分化し得る。従って、本明細書中で言及される神経幹細胞は、多能性の神経幹細胞である。
【００２４】
「ニューロスフィア（ｎｅｕｒｏｓｐｈｅｒｅ）」は、クローン性増殖の結果として単一の神経幹細胞に由来する細胞の一群である。「初代ニューロスフィア」は、神経幹細胞を含む初代培養脳組織のプレーティングによって生成されるニューロスフィアをいう。ニューロスフィアを形成する神経幹細胞の培養方法は、例えば、米国特許第５，７５０，３７６号に記載されている。「二代目のニューロスフィア」は、初代ニューロスフィアをバラバラにすることによって生じ、そして個々のバラバラにした細胞がニューロスフィアを再び形成することを可能にするニューロスフィアをいう。
【００２５】
ネイティブな因子と「実質的な配列の類似性」を共有するポリペプチドは、ネイティブ因子とアミノ酸レベルで、少なくとも約３０％同一である。このポリペプチドは、ネイティブ因子とアミノ酸レベルで、好ましくは少なくとも約４０％、より好ましくは少なくとも約６０％、さらにより好ましくは少なくとも約７０％、そして最も好ましくは少なくとも約８０％同一である。
【００２６】
句、ネイティブ因子とアナログまたは改変体の「パーセント同一性」または「％同一性」は、２つの配列が整列した場合に、アナログまたは改変体にもまた見出される、ネイティブ因子のアミノ酸配列の割合をいう。パーセント同一性は、当該分野において確立された任意の方法またはアルゴリズム（例えば、ＬＡＬＩＧＮまたはＢＬＡＳＴ）によって決定され得る。
【００２７】
ポリペプチドは、ネイティブ因子に対するレセプターに結合され得るか、またはネイティブ因子に対して惹起されたポリクローナル抗体によって認識され得る場合に、ネイティブ因子の「生物学的活性」を有する。好ましくは、このポリペプチドは、レセプター結合アッセイにおいて、ネイティブ因子に対するレセプターに特異的に結合し得る。
【００２８】
ネイティブ因子の「機能的アゴニスト」は、ネイティブ因子のレセプターに結合し、そしてネイティブ因子のレセプターを活性化する化合物であるが、ネイティブ因子と実質的な配列類似性を共有することは必須ではない。
【００２９】
「プロラクチン」は、（１）ネイティブな哺乳動物プロラクチン、好ましくはネイティブなヒトプロラクチンと実質的な配列類似性を共有し；そして（２）ネイティブな哺乳動物のプロラクチンの生物学的活性を有する、ポリペプチドである。このネィティブなヒトプロラクチンは、脳下垂体で主に合成される１９９アミノ酸のポリペプチドである。従って、用語「プロラクチン」は、ネイティブプロラクチンの欠失変異体、挿入変異体または置換変異体であるプロラクチンアナログを含む。さらに、用語「プロラクチン」は、他の種に由来するプロラクチンおよびその天然に存在する改変体を含む。
【００３０】
さらに、「プロラクチン」はまた、ネイティブな哺乳動物プロラクチンレセプターの機能的アゴニストであり得る。例えば、機能的アゴニストは、以下であり得る：プロラクチンレセプターについての米国特許第６，３３３，０３１号に開示された活性化アミノ酸配列；プロラクチンレセプターに対するアゴニスト活性を有する金属錯体レセプターリガンド（米国特許第６，４１３，９５２号）；Ｇ１２０ＲｈＧＨ（これは、ヒト成長ホルモンのアナログであるが、プロラクチンアゴニストとして作用する）（Ｍｏｄｅら、１９９６）；または米国特許第５，５０６，１０７号および同第５，８３７，４６０号に記載されるようなプロラクチンレセプターに対するリガンド。
【００３１】
「ＥＧＦ」は、ネイティブなＥＧＦまたは任意のＥＧＦのアナログもしくは改変体を意味し、このアナログまたは改変体は、ネイティブなＥＧＦと実質的なアミノ酸類配列似性を共有し、そして少なくとも１つ、ネイティブＥＧＦの有する生物学的活性（例えば、ＥＧＦレセプターへの結合）を共有する。特に、ＥＧＦとしては、任意の種のネイティブＥＧＦ、ＴＧＦ、または組換え改変ＥＧＦが挙げられる。特定の例としては、以下が挙げられるが、これらに限定されない：２つのＣ末端アミノ酸の欠失および５１位での１つの中性アミノ酸置換を有する組換え改変ＥＧＦ（特に、ＥＧＦ５１ｇｌｎ５１；米国特許出願公開番号２００２００９８１７８Ａ１）、１６位のＨｉｓ残基が中性アミノ酸または酸性アミノ酸で置換されている、ＥＧＦムテイン（ＥＧＦ−Ｘ１６）（米国特許第６，１９１，１０６号）、ネイティブＥＧＦのアミノ末端残基を欠く、ＥＧＦの５２アミノ酸欠失変異体（ＥＧＦ−Ｄ）、Ｎ末端残基ならびに２つのＣ末端残基（Ａｒｇ−Ｌｅｕ）が欠失された、ＥＧＦ欠失変異体（ＥＧＦ−Ｂ）、２１位のＭｅｔ残基が酸化されているＥＧＦ−Ｄ（ＥＧＦ−Ｃ）、２１位のＭｅｔ残基が酸化されているＥＧＦ−Ｂ（ＥＧＦ−Ａ）、ヘパリン−結合ＥＧＦ様成長因子（ＨＢ−ＥＧＦ）、βセルリン、アンフィレグリン（ａｍｐｈｉｒｅｇｕｌｉｎ）、ニューレグリン（ｎｅｕｒｅｇｕｌｉｎ）、または上記のいずれかを含む融合タンパク質。他の有用なＥＧＦのアナログまたは改変体は、米国特許出願番号２００２００９８１７８Ａ１、ならびに米国特許第６，１９１，１０６号および同第５，５４７，９３５号に記載されている。
【００３２】
さらに、「ＥＧＦ」はまた、ネイティブの哺乳動物ＥＧＦレセプターの機能性アゴニストであり得る。例えば、機能性アゴニストは、ＥＧＦレセプターの活性化アミノ酸配列（米国特許第６，３３３，０３１号に開示される）、またはＥＧＦレセプターに対してアゴニスト活性を有する抗体（Ｆｅｒｎａｎｄｅｚ−Ｐｏｌ、１９８５および米国特許第５，７２３，１１５号）であり得る。
【００３３】
「ＰＡＣＡＰ」は、ネイティブＰＡＣＡＰ、あるいはネイティブＰＡＣＡＰと実質的なアミノ酸配列類似性を共有する任意のＰＡＣＡＰアナログまたは改変体、ならびにネイティブＰＡＣＡＰへの少なくとも１つの生物学的活性（例えば、ＰＡＣＡＰレセプターへの結合）を共有する任意のＰＡＣＡＰアナログまたは改変体を意味する。有用なＰＡＣＡＰアナログおよび改変体としては、以下に限定されないが、ＰＡＣＡＰの３８アミノ酸改変体および２７アミノ酸改変体（それぞれ、ＰＡＣＡＰ３８およびＰＡＣＡＰ２７）、そして例えば、米国特許第５，１２８，２４２号；同第５，１９８，５４２号；同第５，２０８，３２０号；同第５，３２６，８６０号；同第５，６２３，０５０号；同第５，８０１，１４７号；ならびに同第６，２４２，５６３号に開示されるアナログおよび改変体が挙げられる。
【００３４】
さらに、「ＰＡＣＡＰ」はまた、ネイティブの哺乳動物ＰＡＣＡＰレセプターの機能性アゴニストであり得る。例えば、機能性アゴニストは、マキサディラン（ｍａｘａｄｉｌａｎ）（ＰＡＣＡＰ１型レセプターの特異的アゴニストとして作用するポリペプチド）（Ｍｏｒｏら、１９９７）であり得る。
【００３５】
「エリスロポエチン（ＥＰＯ）」とは、ネイティブＥＰＯ、あるいはネイティブＥＰＯと実質的なアミノ酸配列類似性を共有する任意のＥＰＯアナログまたは改変体、ならびにネイティブＥＰＯへの少なくとも１つの生物学的活性（例えば、ＥＰＯレセプターへの結合）を共有する任意のＥＰＯアナログまたは改変体を意味する。エリスロポエチンアナログおよび改変体は、例えば、米国特許第６，０４８，９７１号および同第５，６１４，１８４号に開示される。
【００３６】
さらに、「ＥＰＯ」はまた、ネイティブの哺乳動物ＥＰＯレセプターの機能性アゴニストであり得る。例えば、機能性アゴニストは以下のものであり得る：ＥＭＰ１（ＥＰＯ擬態ペプチド１、Ｊｏｈｎｓｏｎら、２０００）；ＥＰＯの短いペプチド擬態の１つ（Ｗｒｉｇｈｔｏｎら、１９９６および米国特許第５，７７３，５６９号に記載される）；任意の低分子ＥＰＯ擬態（Ｋａｕｓｈａｎｓｋｙ、２００１に開示される）；ＥＰＯレセプターを活性化する抗体（米国特許第５，８８５，５７４号、ＷＯ９６／４０２３１、ＷＯ９７／４８７２９、Ｆｅｒｎａｎｄｅｚ−Ｐｏｌ、１９８５または米国特許第５，７２３，１１５号に記載される）；活性化アミノ酸配列（米国特許第６，３３３，０３１号にＥＰＯレセプターについて開示される）；ＥＰＯレセプターに対してアゴニスト活性を有する金属錯体化レセプターリガンド（米国特許第６，４１３，９５２号）；またはＥＰＯレセプターに対するリガンド（米国特許第５，５０６，１０７号および同第５，８３７，４６０号に記載される）。
【００３７】
「プロラクチン誘発因子」は、動物に与えられたときに動物におけるプロラクチンの量を増加し得る物質である。例えば、プロラクチン放出ペプチドは、プロラクチンの分泌を刺激する。
【００３８】
細胞型の形成の「増強」は、その細胞型の数が増加することを意味する。従って、ある因子の存在下におけるニューロン数が、その因子の非存在下におけるニューロン数より大きい場合に、その因子は、ニューロン形成を増強するために使用され得る。その因子の非存在下におけるニューロン数は、０以上であり得る。
【００３９】
「神経変性疾患または神経変性状態」としては、ニューロン欠損またはニューロン機能不全に関連する疾患または医学的状態である。神経変性疾患または神経変性状態の例としては、神経変性疾患、脳損傷またはＣＮＳ機能不全が挙げられる。神経変性疾患としては、例えば、以下のものが挙げられる：アルツハイマー病、多発性硬化症（ＭＳ）、黄斑変性、緑内障、糖尿病性網膜症、末梢神経障害、ハンチントン病、筋萎縮性側索硬化症、およびパーキンソン病。脳損傷としては、例えば、以下が挙げられる；発作（例えば、出血性発作、局所性の虚血性発作または全体的な虚血性発作）；および外傷性脳損傷（例えば、脳外科手術または物理的な事故により引き起こされる損傷）。ＣＮＳ機能不全としては、例えば、うつ病、てんかん、神経症および精神病が挙げられる。
【００４０】
「治療または緩和」とは、疾患または医学的状態の症状の軽減あるいは完全な除去を意味する。
【００４１】
「神経変性疾患または神経変性状態を有することが疑われる」哺乳動物とは、神経変性疾患または神経変性状態と正式には診断されないが、神経変性疾患または神経変性状態の症状を示す哺乳動物であり、家族歴または遺伝素因に起因して神経変性疾患または神経変性状態と疑われるか、または、以前に神経変性疾患または神経変性状態を有しており、そして再発の危険にさらされている哺乳動物である。
【００４２】
哺乳動物への組成物の「移植」は、当該分野において確立された任意の方法によって、哺乳動物の身体内へ組成物を導入することをいう。導入される組成物は「移植片」であり、哺乳動物は「レシピエント」である。移植片およびレシピエントは、同系、同種異系、または異種であり得る。好ましくは、移植は、自己移植である。
【００４３】
「有効な量」は、意図する目的を達成するために十分な治療剤の量である。例えば、神経幹細胞の数を増加させるための因子の有効な量は、インビボまたはインビトロのいずれの場合もあり得るが、神経幹細胞数の増加という結果を生じさせるために十分な量である。神経変性疾患または神経変性状態を処置または改善するためのプロラクチンの有効な量は、神経変性疾患または神経変性状態の症状を軽減または取り除くのに十分なプロラクチンの量である。所定の治療剤の有効な量は、因子（例えば、薬剤の性質、投与経路、治療剤を受ける動物のサイズおよび種、ならびに投与の目的）によって変化する。各個々の症例における有効な量は、当該分野において確立された方法に従って、当業者によって経験的に決定され得る。
【００４４】
（方法）
脳に及ぼす妊娠関連ホルモン／生理学的変化の影響を評価する試みにおいて、本発明者らは、神経幹細胞の数（ＮＳＣ）が妊娠の間二波パターンで増加することを発見した。従って、妊娠７日目で検出可能な様式でＮＳＣ数が増加し、妊娠１４日目で最大４０％の増加に達し、生誕の際にベースラインに戻った。驚くべきことに、生誕後、分娩後の最初の１週間の間に、第２の増加が起こった。神経幹細胞が主に位置する脳室下帯における増殖細胞の数がまた、妊娠の間、二波パターンで増加し；妊娠７日後に倍になり、妊娠１４日後にベースラインに戻り、そして生誕時に第２の増加が続いた（実施例１）。
【００４５】
この二波パターンは、同じ期間におけるプロラクチンレベルのパターンと類似している。プロラクチン濃度は、妊娠の最初の半分の間は高く、次いで妊娠の最後まで減少し、それらは再び上昇する。これはおそらく、その授乳および母性挙動におけるその役割による（Ｆｒｅｅｍａｎら、２０００で概説）。それゆえに、本発明者らは、インビボおよびインビトロで神経幹細胞数におけるプロラクチンの影響を調べた（実施例２および４）。我々は、プロラクチンはインビボで脳室下帯における増殖を誘発し得、そしてインビトロで神経幹細胞数を増加し得る。
【００４６】
哺乳動物において、前脳脳室下帯における大人の神経幹細胞が、吻側の移動流に沿って嗅球に移動する神経前駆体を形成することによって臭覚介在ニューロンを生じる。それ故に、本発明者らはまた、妊娠または神経幹細胞におけるプロラクチン誘発増加が臭覚介在ニューロン形成を生じるかどうかについて調べた。実際に、妊娠マウスにおける新しい臭覚介在ニューロンの数は、それらの処女カウンターパートにおける数より顕著に高かった。さらに、神経幹細胞の二波の各々が増加した後、臭覚介在ニューロンが増加する。同様に、プロラクチン注入は、同様に、新しい臭覚介在ニューロンの数の顕著な増加を導いた（実施例３）。
【００４７】
神経発生に対するプロラクチンおよび妊娠の影響（約１００％の増加）は、幹細胞増殖に対する影響（約４０〜６０％）よりも大きい。従って、本発明者らは、プロラクチンが、神経幹細胞のニューロンへの分化を促進し得るか否かを試験した。この目的のために、ニューロスフィア（ｎｅｕｒｏｓｐｈｅｒｅ）を、ＥＧＦの存在下またはＥＧＦ＋プロラクチンの存在下において培養し、そして多数のニューロンを計測した（実施例５）。この結果により、ＥＧＦとプロラクチンとの両方の存在下において生成されるニューロスフィアが、ＥＧＦ単独で生成されるニューロスフィアよりも２倍多いニューロンを生成することが示される。従って、神経幹細胞の増殖増加および新たな嗅覚ニューロンの生成に加えて、プロラクチンはまた、神経幹細胞からのニューロンの形成も増強する。
【００４８】
神経幹細胞に対するプロラクチンの効果は、直接的または間接的に発揮され得る。インビボにおいて、以前にプロラクチンレセプターは、前脳の側脳室脈絡叢に存在することが報告された。脈絡叢は、神経幹細胞の増殖を調節する増殖因子（例えば、トランスホーミング増殖因子α（ＴＧＦ））を分泌するので、プロラクチンは、ＴＧＦを分泌するように脈絡叢を刺激し得、それによって、神経幹細胞が増殖するように誘導する。本発明者らは、プロラクチンレセプターが、ＳＶＺの側背端部（ｄｏｒｓｏｌａｔｅｒａｌ  ｃｏｒｎｅｒ）（ここで神経前駆体は、吻側移動流（ｒｏｓｔｒａｌ  ｍｉｇｒａｔｏｒｙ  ｓｔｒｅａｍ）に沿って嗅球へとその移動を開始する）においても発現されることを発見した。従って、プロラクチンはまた、直接的に神経幹細胞に対して作用し得る。培養された神経幹細胞もまた、プロラクチンレセプターを有することが見出された。
【００４９】
従って、本発明は、インビボまたはインビトロのいずれかにおいて、神経幹細胞数を増加させる方法を提供する。インビボにおいて神経幹細胞数を増加させるために使用される場合、本方法は、脳において神経幹細胞のより大きなプールを生じる。この神経幹細胞のより大きなプールは、引き続いて、プロラクチンを伴わない幹細胞集団よりも多くの神経系細胞（特に、ニューロンまたはグリア細胞）を生成し得る。次いで、この神経系細胞は、神経変性疾患および神経変性状態に関連する神経系細胞の欠損または変性（神経系の損傷を含む）を補償し得る。
【００５０】
プロラクチンはまた、インビトロにおいて神経幹細胞数を増加させるために使用され得る。得られる幹細胞は、インビトロにおいてより多くのニューロンおよび／またはグリア細胞を生成するために使用され得るか、または神経変性疾患または神経変性状態に罹患したヒトまたは動物への移植手順において使用され得る。ニューロンでもグリア細胞でもなく、本発明に従って生成される神経幹細胞を移植することが好ましい。一旦、神経幹細胞が移植されると、増殖因子および／または分化因子が、インビボで投与されて、さらに幹細胞数を増加し得るか、または選択的にニューロン形成またはグリア細胞形成を増強し得る。例えば、本発明者らは、エリスロポエチンが、グリア細胞よりもニューロンの選択的な生成を誘導することを見出した。サイクリックＡＭＰおよびｃＡＭＰ経路を増強する因子（例えば、下垂体アデニレートシクラーゼ活性化ポリペプチド（ＰＡＣＡＰ）およびセロトニン）もまた、選択的にニューロンの生成を促進するための優良な候補である。他方、骨形態形成タンパク質（ＢＭＰ）は、成体ＳＶＺ細胞によるニューロンの生成を阻害しそしてグリアの生成を増強することが報告された（Ｌｉｍら、２０００）。神経幹細胞数を増加し得る因子としては、プロラクチン、上皮増殖因子（ＥＧＦ）、トランスホーミング増殖因子α（ＴＧＦ）、線維芽細胞増殖因子（ＦＧＦ）、エストロゲン、成長ホルモン、インスリン様増殖因子１、および毛様好中球因子（ＣＮＴＦ）が挙げられるが、これらに限定されない。
【００５１】
さらに、インビトロまたはインビボにおいて神経幹細胞からのニューロンの形成を増加させる方法、および新たな嗅覚ニューロンの生成を増強する方法が、本発明により提供される。
【００５２】
神経幹細胞、ニューロンまたは嗅覚介在ニューロンにおける増加は、好ましくは、少なくとも約１０％、より好ましくは、少なくとも約２０％、なおより好ましくは、少なくとも約３０％、さらにより好ましくは、少なくとも約４０％、まだより好ましくは、少なくとも約５０％、そしてさらにより好ましくは、少なくとも約６０％である。最も好ましくは、この増加は、少なくとも約８０％である。
【００５３】
本発明はまた、動物（特に、哺乳動物）において、神経変性疾患または神経変性状態を処置または改善する方法を提供する。この方法は、例えば、有効量のプロラクチンを哺乳動物の脳に投与することによってか、または本発明に従って生成された神経幹細胞、神経幹細胞に由来する前駆体細胞、ニューロンおよび／またはグリア細胞を哺乳動物に移植することによって達成され得る。好ましくは、神経幹細胞が移植される。移植に加えて、プロラクチンおよび／またはさらなる因子が、特に、移植と同時にかまたは移植後に、移植レシピエントにさらに提供され得る。
【００５４】
１つの特に興味深い神経変性状態は加齢である。本発明者らは、脳室下帯における神経幹細胞の数が、高齢マウスにおいて有意に低下されることを見出した。従って、プロラクチンを用いて神経幹細胞を増加させることによって、加齢に伴う問題を改善することは特に興味深い。
【００５５】
例えば、脳室下帯における神経幹細胞は、嗅覚ニューロンの供給源であり、そして嗅覚の機能不全は、前脳神経変性疾患（例えば、アルツハイマー病、パーキンソン病およびハンティングトン病）の特徴である。嗅球へのニューロンの移動を破壊することによって、嗅覚識別の欠損が引き起こされ、そして新たな嗅覚介在ニューロンの倍加は、新たな臭気記憶を増強する（Ｒｏｃｈｅｆｏｒｔら、２００２）。従って、プロラクチンを使用して、嗅覚識別または嗅覚記憶を増強し得、ならびに、嗅覚作用および嗅覚識別に関連する生理的機能（例えば、交配、子孫認識および養育）を増強し得る。さらに、神経幹細胞数（特に、ＳＶＺにおける神経幹細胞数）の増加を引き起こす任意の他の方法によって、新たな嗅覚ニューロンの形成の増加が導かれ、それにより嗅覚機能が増強される。
【００５６】
本発明の別の特に重要な適用が、脳の損傷（例えば、脳卒中（ｓｔｒｏｋｅ））の処置および／または改善である。実施例６に示されるように、プロラクチンは、化学的に誘導された脳卒中に罹患した動物の脳において神経変性を増加させた。さらに、これらの動物はまた、運動−関連症状における有意な改善を示し、これは、脳の損傷の処置におけるプロラクチンの効果を実証する。プロラクチンとエリスロポエチンとが、この処置において組み合わせられる場合、動物は行動的に完全に回復し、そして損傷から生じた運動皮質の空洞もまた、細胞および組織によって完全にまたは部分的に満たされた。
【００５７】
従って、プロラクチンを使用して、神経変性疾患または神経変性状態（特に、脳の損傷、そして最も特には、脳卒中）を処置または改善し得る。好ましくは、プロラクチンおよび／または神経幹細胞を増加させる任意の他の方法は、神経発生および／またはグリア形成を増強するさらなる因子と組合せて使用され得る。プロラクチンとエリスロポエチンとは、本発明における特に好ましい組み合わせである。さらに、プロラクチンとＥＧＦともまた、ならびに、プロラクチンとＰＡＣＡＰともまた、好ましい実施形態である。
【００５８】
（組成物）
本発明は、プロラクチンと少なくとも１つのさらなる因子とを含む組成物を提供する。このさらなる因子は、神経幹細胞数を増加させ得るか、またはニューロンもしくはグリア細胞への神経幹細胞の分化を増強し得る。このさらなる因子は、好ましくは、エリスロポエチン、ＥＧＦおよび／またはＰＡＣＡＰである。
【００５９】
プロラクチンは、当初、乳汁分泌を促進するその活性のために名付けられた、ポリペプチドホルモンである。しかし、現在では、プロラクチンは、その名称によって表されない３００を超える異なる生物学的活性を有することが知られている（Ｆｒｅｅｍａｎら、２０００）。さらに、プロラクチンは、脳下垂体前葉の特定の細胞（乳腺刺激体（ｌａｃｔｏｔｒｏｐｈ））のみにおいて合成されそしてそこからのみ分泌されると長い間信じられていたが、身体中の他の器官および組織も同様にプロラクチンを産生し得ることを示唆するますますの証拠が存在する。
【００６０】
脳は、とりわけ、プロラクチンを含むことが報告された（そしておそらくプロラクチンを合成する）器官である。プロラクチンの免疫反応性は、視床下部軸索終末において最初に見出され、そして引き続いて、終脳において、大脳皮質、海馬、扁桃、隔壁、尾状被殻、脳幹、小脳、脊髄、脈絡叢および脳室周囲器官群において見出される。中枢神経系（ＣＮＳ）に対するプロラクチンの既知の効果としては、母性行動、生殖行動、毛づくろい行動、給餌行動、睡眠−覚醒サイクル、視床下部ニューロンの刺激（ｆｉｒｉｎｇ）速度、ならびに神経伝達物質および神経ペプチドの代謝に対する作用が挙げられる。プロラクチンはまた、星状細胞の増殖および星状細胞のＴＧＦ発現を誘導することもまた見出された（ＤｅＶｉｔｏら、１９９５）。しかし、プロラクチンが、神経幹細胞に対して影響を有することを見出したのはこれが初めてである。
【００６１】
ヒトゲノムでは、単一の遺伝子がプロラクチンをコードする。第６染色体に見出されるプロラクチン遺伝子は、１０ｋｂのサイズであり、そして５つのエキソンおよび４つのイントロンを含む。プロラクチン遺伝子の転写物は、２つの独立したプロモーター領域によって調節される。近位の５ｋｂ領域は、下垂体特異的発現を指示し、一方、より上流のプロモーター領域は、下垂体外での発現を担う。この遺伝子は、２２７アミノ酸のプロラクチンプロホルモンをコードし、このプロラクチンプロホルモンが、１９９アミノ酸の成熟ヒトプロラクチンへとプロセスされる。
【００６２】
下垂体において見出されるプロラクチンの主要形態は、２３ｋＤａの分子量を有するが、プロラクチンの改変体が、多くの哺乳動物（ヒトを含む）において特徴付けられている。プロラクチン改変体は、一次転写物の選択的スプライシング、タンパク質分解切断、および他の翻訳後修飾から生じ得る。１３７アミノ酸のプロラクチン改変体は、下垂体前葉にあると記載されており、これは、選択的スプライシングの産物であるようである。プロラクチンの種々のタンパク質分解産物が特徴付けられており（特に、１４ｋＤａ、１６ｋＤａ、および２２ｋＤａのプロラクチン改変体）、これらは全て、Ｃ末端で短縮されたプロラクチンフラグメントであるようである。プロラクチンについて報告された他の翻訳後修飾としては、二量体化、重合化、リン酸化、グリコシル化、硫酸化、および脱アミド化が挙げられる。
【００６３】
本発明において有用なプロラクチンは、神経幹細胞数を増加させ得る、任意のプロラクチンアナログ、改変体またはプロラクチン関連タンパク質を含む。プロラクチンアナログまたは改変体は、ネイティブヒトプロラクチンのアミノ酸配列の少なくとも約３０％を含み、かつプロラクチンの生物学的活性を有する、ポリペプチドである。好ましくは、このプロラクチンの生物学的活性は、プロラクチンレセプターに結合する能力である。プロラクチンレセプターのいくつかのアイソフォームが、単離されているが（例えば、ラットにおける長い形態、中間の形態、および短い形態）、これらのアイソフォームは、プロラクチンに結合する同じ細胞外ドメインを共有する。従って、任意のレセプターアイソフォームを使用して、プロラクチン結合活性についてアッセイし得る。プロラクチンとしては、具体的に、以下が挙げられる：天然に存在するプロラクチン改変体、プロラクチン関連タンパク質、胎盤ラクトゲン、Ｓ１７９Ｄヒトプロラクチン（Ｂｅｒｎｉｃｈｔｅｉｎら、２００１）、種々の哺乳動物種（ヒト、他の霊長類、ラット、マウス、ヒツジ、ブタ、およびウシがあげられるがこれらに限定されない）由来のプロラクチン、ならびに米国特許第６，４２９，１８６号および同第５，９５５，３４６号に記載されるプロラクチン変異体。
【００６４】
同様に、本発明において有用な任意のさらなる化合物または因子は、そのネイティブの化合物または因子と実質的な類似性および少なくとも１つの生物学的活性を共有する、それらのアナログおよび改変体を含む。例えば、ＥＧＦが、本発明においてプロラクチンと組合せて使用され得る。ネイティブのＥＧＦに加えて、ＥＧＦアナログまたはＥＧＦ改変体もまた使用され得、これらは、ネイティブのＥＧＦと実質的なアミノ酸配列類似性を共有するべきであり、かつネイティブのＥＧＦと少なくとも１つの生物学的活性（例えば、ＥＧＦレセプターへの結合）を共有するべきである。ＥＧＦとして特に挙げられるものは、任意の種のネイティブＥＧＦ、ＴＧＦ、または組換え改変されたＥＧＦである。具体例としては、以下が挙げられるが、これらに限定されない：２つのＣ末端アミノ酸の欠失および５１位において中性アミノ酸の置換を有する組換え改変されたＥＧＦ（特にＥＧＦ５１ｇｌｎ５１；米国特許出願公開第２００２００９８１７８Ａ１号）、１６位のＨｉｓ残基が中性または酸性のアミノ酸で置き換えられているＥＧＦムテイン（ＥＧＦ−Ｘ１６）（米国特許第６，１９１，１０６号）、ネイティブＥＧＦのアミノ末端残基を欠く、ＥＧＦの５２−アミノ酸欠失変異体（ＥＧＦ−Ｄ）、Ｎ末端残基および２つのＣ末端残基（Ａｒｇ−Ｌｅｕ）が欠失されているＥＧＦ欠失変異体（ＥＧＦ−Ｂ）、２１位のＭｅｔ残基が酸化されているＥＧＦ−Ｄ（ＥＧＦ−Ｃ）、２１位のＭｅｔ残基が酸化されているＥＧＦ−Ｂ（ＥＧＦ−Ａ）、ヘパリン結合ＥＧＦ様成長因子（ＨＢ−ＥＧＦ）、βセルリン、アンフィレグリン（ａｍｐｈｉｒｅｇｕｌｉｎ）、ニューレグリン（ｎｅｕｒｅｇｕｌｉｎ）、または上記のうちのいずれかを含む融合タンパク質。他の有用なＥＧＦアナログまたは改変体は、米国特許出願公開第２００２００９８１７８Ａ１号、および米国特許第６，１９１，１０６号および同第５，５４７，９３５号に記載される。
【００６５】
別の例として、ＰＡＣＡＰもまたプロラクチンと組合せて使用され得る。有用なＰＡＣＡＰアナログおよび改変体としては、以下：ＰＡＣＡＰの３８アミノ酸改変体および２７アミノ酸改変体（それぞれ、ＰＡＣＡＰ３８およびＰＡＣＡＰ２７）、ならびに例えば、米国特許第５，１２８，２４２号；同第５，１９８，５４２号；同第５，２０８，３２０号；同第５，３２６，８６０号；同第５，６２３，０５０号；同第５，８０１，１４７号および同第６，２４２，５６３号に開示されるアナログおよび改変体、が挙げられるが、これらに限定されない。
【００６６】
エリスロポエチンのアナログおよび改変体は、例えば、米国特許第６，０４８，９７１号および同第５，６１４，１８４号に開示される。
【００６７】
さらに、本発明において有用なプロラクチンまたはさらなる因子の機能的アゴニストが本発明において意図される。これらの機能的アゴニストは、そのネイティブの因子のレセプターに結合しそしてそれを活性化するが、これらの機能的アゴニストは、必ずしも、そのネイティブの因子と実質的な配列類似性を共有する必要はない。例えば、マキサジラン（ｍａｘａｄｉｌａｎ）は、１型ＰＡＣＡＰレセプターの特異的アゴニストとして機能するポリペプチドである（Ｍｏｒｏら、１９９７）。
【００６８】
ＥＰＯの機能的アゴニストは、広く研究されている。ＥＭＰ１（ＥＰＯ擬似体ペプチド１）は、Ｊｏｈｎｓｏｎら、２０００に記載されるＥＰＯ擬似体のうちの１つである。ＥＰＯの短いペプチド擬似体は、例えば、Ｗｒｉｇｈｔｏｎら、１９９６および米国特許第５，７７３，５６９号に記載される。低分子ＥＰＯ擬似体は、例えば、Ｋａｕｓｈａｎｓｋｙ、２００１に開示される。ＥＰＯレセプターを活性化する抗体は、例えば、米国特許第５，８８５，５７４号；ＷＯ９６／４０２３１およびＷＯ９７／４８７２９に記載される。
【００６９】
ＥＧＦレセプターに対してアゴニスト活性を有する抗体は、例えば、Ｆｅｒｎａｎｄｅｚ−Ｐｏｌ，１９８５および米国特許第５，７２３，１１５号に記載される。さらに、ＥＰＯレセプター、ＥＧＦレセプター、プロラクチンレセプターおよび多くの他の細胞表面レセプターについての活性化アミノ酸配列もまた、米国特許第６，３３３，０３１号に開示される；プロラクチンレセプターおよびＥＰＯレセプターに対してアゴニスト活性を有する金属錯化レセプターリガンドは、米国特許第６，４１３，９５２号に見出され得る。レセプター（例えば、ＥＰＯレセプターおよびプロラクチンレセプター）に対するリガンドを同定および調製する他の方法は、例えば、米国特許第５，５０６，１０７号および同第５，８３７，４６０号に記載される。
【００７０】
各アナログ、改変体または機能的アゴニストの有効量が、ネイティブの因子または化合物についての有効量と異なり得ることに留意すべきであり、そして各々の場合における有効量は、本明細書中の開示に従って当業者により決定され得る。好ましくは、ネイティブの因子、またはそのネイティブの因子と実質的な配列類似性を共有するアナログおよび改変体は、本発明において使用される。
【００７１】
薬学的組成物もまた提供され、この薬学的組成物は、プロラクチンと、上記のようなさらなる因子と、薬学的に受容可能な賦形剤および／またはキャリアとを含む。
【００７２】
薬学的組成物は、以下のような当該分野で公知の任意の経路を介して送達され得る：非経口的、髄腔内、脈管内、静脈内、筋内、経皮的、皮内、皮下的、鼻腔内、局所的、経口的、直腸的、経膣、肺または腹腔内。好ましくは、この組成物は、注射または注入によって中枢神経系に送達される。より好ましくは、この組成物は、脳の脳室、特に、側脳室に送達される。あるいは、この組成物は、好ましくは全身経路（例えば、皮下投与）によって送達される。例えば、本発明者らは、プロラクチン、成長ホルモン、ＩＧＦ−１、ＰＡＣＡＰおよびＥＰＯが、皮下投与により有効に送達されて、脳室下帯における神経幹細胞の数を調節し得ることを発見した。
【００７３】
組成物が、脳に直接送達されない場合、およびこの組成物中の因子が、血液脳関門を容易に横切らない場合、血液脳関門浸透剤が、脳への進入を容易にするために必要に応じて含まれ得る。血液脳関門浸透剤は、当該分野で公知であり、これらとしては、例として、米国特許第５，６８６，４１６号；同第５，５０６，２０６号および同第５，２６８，１６４号に記載されるブラジキニンおよびブラジキニンアゴニスト（例えば、ＮＨ２−アルギニン−プロリン−ヒドロキシプロキシプロリン−グリシン−チエニルアラニン−セリン−プロリン−４−Ｍｅ−チロシン  （ＣＨ２ＮＨ）−アルギニン−ＣＯＯＨ）が挙げられる。あるいは、これらの因子は、米国特許第６，３２９，５０８号；同第６，０１５，５５５号；同第５，８３３，９８８号または同第５，５２７，５２７号に記載されるようなトランスフェリンレセプター抗体に結合体化され得る。これらの因子はまた、その因子と、脳毛細管内皮細胞レセプター（例えば、トランスフェリンレセプター）と反応性のリガンド（例えば、米国特許第５，９７７，３０７号を参照のこと）とを含む融合タンパク質として送達され得る。
【００７４】
薬学的組成物は、所望の治療剤と、意図された投与経路に適した適切なビヒクルとを混合することにより調製され得る。本発明の薬学的組成物の作製において、治療剤は、通常、賦形剤と混合されるか、賦形剤により希釈されるか、またはカプセル、サシェ、紙または他の容器の形態であり得るようなキャリアの内部に封入される。薬学的に受容可能な賦形剤が、希釈剤として作用する場合、これは、固体、半固体、または液体の材料であり得、これらは、治療剤のためのビヒクル、キャリアまたは媒体として機能する。従って、組成物は、錠剤、丸剤、粉末、ロゼンジ、サシェ、カシェ剤、エリキシル、懸濁液、エマルジョン、液剤、シロップ、エアロゾル（固体としてまたは液体媒体中において）、軟膏（例えば、１０重量％までの治療剤を含有する）、軟質および硬質のゼラチンカプセル、坐剤、滅菌注射溶液、ならびに滅菌パッケージされた粉末の形態であり得る。
【００７５】
適切な賦形剤のいくつかの例としては、人工脳脊髄液、ラクトース、デキストロース、スクロース、ソルビトール、マンニトール、デンプン、アカシアガム、リン酸カルシウム、アルギネート、トラガカント、ゼラチン、ケイ酸カルシウム、微結晶性セルロース、ポリビニルピロリドン、セルロース、滅菌水、シロップ、およびメチルセルロースが挙げられる。処方物は、さらに以下を含み得る：タルク、ステアリン酸マグネシウム、および鉱油のような滑沢剤；湿潤剤；乳化剤および懸濁剤；ヒドロキシ安息香酸メチルおよびヒドロキシ安息香酸プロピルのような防腐剤；甘味料；ならびに香味料。本発明の組成物は、当該分野で公知の手順を使用することにより、患者への投与後に、治療剤の迅速な放出、持続された放出、または遅延した放出を提供するように処方され得る。
【００７６】
錠剤のような固形組成物を調製するために、治療剤は、薬学的賦形剤と混合されて、本発明の化合物の均一な混合物を含む固体の予備処方された組成物を形成する。これらの予備処方された組成物を均一として言及する場合、これは、その組成物が、等しく有効な単位投薬形態（例えば、錠剤、丸剤およびカプセル）に容易に小分けされ得るように、その組成物全体にわたって一様に治療剤が分散されていることを意味する。
【００７７】
本発明の錠剤または丸剤は、コーティングされ得るか、または他の方法で、長期作用という利点を提供する投薬形態を提供するように調合され得る。例えば、錠剤または丸剤は、内部投薬成分および外部投薬成分を含み得、後者は、前者を包み込む形態をとる。これらの２つの成分は、腸溶性の層により隔てられ得、この腸溶性の層は、胃における崩壊に抵抗するように作用し、そして内部成分がインタクトなままで十二指腸に通過するかまたは放出を遅らせることを可能にする。種々の材料が、このような腸溶性の層またはコーティングのために使用され得、このような材料としては、多数の高分子酸、および、高分子酸と、シェラック、セチルアルコール、および酢酸セルロースのような材料との混合物が挙げられる。
【００７８】
本発明の新規な組成物が経口投与または注射による投与のために組み込まれ得る液体形態としては、水溶液、適切に香味付けされたシロップ、水性懸濁液または油性懸濁液、および食用油（例えば、トウモロコシ油、綿実油、ゴマ油、ココナッツ油、またはピーナッツ油）を用いて香味付けされたエマルジョン、ならびにエリキシルおよび同様の薬学的ビヒクルが挙げられる。
【００７９】
吸入または通気のための組成物としては、薬学的に受容可能な、水性溶媒もしくは有機溶媒またはそれらの混合物中の溶液および懸濁液、ならびに粉末が挙げられる。液体または固体の組成物は、本明細書中に記載されるような適切な薬学的に受容可能な賦形剤を含み得る。これらの組成物は、局所作用または全身作用のために経口または経鼻呼吸経路により投与される。好ましくは薬学的に受容可能な溶媒中にある組成物は、不活性ガスの使用により噴霧され得る。噴霧される溶液は、噴霧デバイスから直接吸入され得るか、または噴霧デバイスは、フェースマスクテントもしくは間欠的陽圧呼吸機に取り付けられ得る。溶液、懸濁液または粉末の組成物は、適切な様式で処方物を送達するデバイスから、好ましくは経口的または経鼻的に、投与され得る。
【００８０】
本発明の方法において使用される別の処方物は、経皮送達デバイス（「パッチ」）を使用する。このような経皮パッチを使用して、制御された量で本発明の治療剤の連続的または断続的な注入を提供し得る。薬学的薬剤の送達のための経皮パッチの構築および使用は、当該分野で周知である。例えば、米国特許第５，０２３，２５２号（本明細書中に参考として援用される）を参照のこと。このようなパッチは、薬学的薬剤の連続的送達、拍動性送達、または要求に応じた送達のために構築され得る。
【００８１】
本発明において使用される他の適切な処方物が、Ｒｅｍｉｎｇｔｏｎ’ｓ  Ｐｈａｒｍａｃｅｕｔｉｃａｌ  Ｓｃｉｅｎｃｅｓに見出され得る。
【００８２】
以下の実施例は、本発明を例示するために提供され、そしていかようにも、本発明の範囲を制限するものとして解釈されるべきではない。
【実施例】
【００８３】
（実施例）
下記の実施例において、以下の略語は、以下の意味を有する。略語は、その一般に受け入れられている意味を有するとは規定されない。
【００８４】
℃  ＝  摂氏温度
ｈｒ  ＝  時間
ｍｉｎ  ＝  分間
μＭ  ＝  マイクロモル濃度
ｍＭ  ＝  ミリモル濃度
Ｍ  ＝  モル濃度
ｍｌ  ＝  ミリリットル
μｌ  ＝  マイクロリットル
ｍｇ  ＝  ミリグラム
μｇ  ＝  マイクログラム
ＦＢＳ  ＝  胎仔ウシ血清
ＰＢＳ  ＝  リン酸緩衝化生理食塩水
ＤＭＥＭ  ＝  ダルベッコ改変イーグル培地
α−ＭＥＭ  ＝  α−改変イーグル培地
ＥＧＦ  ＝  上皮増殖因子
ＮＳＣ  ＝  神経幹細胞
ＳＶＺ  ＝  脳室下帯
ＰＡＣＡＰ  ＝  下垂体アデニレートシクラーゼ活性化ポリペプチド
ｃＡＭＰ  ＝  サイクリックＡＭＰ
ＢＭＰ  ＝  骨形態形成タンパク質
ＣＳＦ  ＝  脳脊髄液。
【００８５】
（材料および方法）
（神経幹細胞の培養）
神経幹細胞の培養のためのプロトコールは、米国特許第５，７５０，３７６号またはＳｈｉｎｇｏら，２００１に詳細に記載される。簡単にいうと、胚性神経幹細胞を、Ｅ１４内側神経節隆起および側方神経節隆起から調製した。成体の神経幹細胞を、成体マウスの脳室下帯から調製した。組織を、２０ｎｇ／ｍｌ  ＥＧＦ、または各々の場合に示されるような他の増殖因子を含む基本培地内で培養して、ニューロスフィア（ｎｅｕｒｏｓｐｈｅｒｅ）を形成した。基本培地の組成は、以下の通りである：ＤＭＥＭ／Ｆ１２（１：１）；グルコース（０．６％）；グルタミン（２ｍＭ）；炭酸水素ナトリウム（３ｍＭ）；ＨＥＰＥＳ（５ｍＭ）；インスリン（２５μｇ／ｍｌ）；トランスフェリン（１００μｇ／ｍｌ）；プロゲステロン（２０ｎＭ）；プトレシン（６０μＭ）；および塩化セレン（３０ｎＭ）。
【００８６】
７日後、機械的分離によってニューロスフィア（初代ニューロスフィア）を継代し、単一の細胞（第１継代）として再度播種した。第２代ニューロスフィアのために、次いで、この単一の細胞を７日間培養し、第２代ニューロスフィアを形成した。
【００８７】
（脳卒中の研究のための試験動物）
成体雄性Ｌｏｎｇ−Ｅｖａｎｓラット（２５０〜３５０ｇ）を、Ｃｈａｒｌｅｓ  Ｒｉｖｅｒ  Ｂｒｅｅｄｉｎｇ  Ｆａｒｍｓ（Ｌａｖａｌ，Ｑｕｅｂｅｃ，Ｃａｎａｄａ）から入手し、すべての処理前に、２週間にわたってコロニーに適合させた。手術の１週間前に、このラットに、前脚抑止試験におけるベースライン試験を行った。
【００８８】
（局所虚血性の損傷および注入）
脳卒中研究のための動物に、感覚運動皮質の片側脈管遮断を施した。イソフルラン麻酔を用いて、皮膚を切開し、収縮させ、そして表面に存在する筋膜を頭蓋から取り除いた。頭蓋の開口部を、硬膜を傷つけないように注意しながら、以下の座標に作製した：ＡＰ  ＋４．０〜−２．０；Ｌ  １．５〜４（傍矢状の隆線；Ｋｏｌｂら，１９９７）。この硬膜を切り、頭蓋の開口部から収縮させた。滅菌生理食塩水中に浸漬した綿棒で、露出した軟膜越しに穏やかに擦り、血管を除いた。次いで、反対側の半球に穴を開け、浸透圧ミニポンプを備えたカニューレのための開口部を、ＡＰ  −０．５；Ｌ  １．５に提供した。浸透圧ミニポンプを、肩甲骨の間の皮膚の下に配置し、そしてチューブを、速乾性セメントで頭蓋に付けたカニューレに皮膚の下で接続した。一旦止血が達成されると、頭皮を５−Ｏ  滅菌縫合糸を用いて縫合して閉じた。この動物に、Ｂａｎａｍｉｎｅ（鎮痛薬）の注射を１回与え、そしてそのホームケージに戻した。骨に穴を開けた偽性動物には麻酔のみを与え、そして皮膚を切開し、そして縫合した。
【００８９】
６日後、この動物を、行動試験を用いて評価した。翌日、この動物を再度麻酔し、そしてミニポンプを、適切な溶液を含有する第２のミニポンプと置換した。偽性動物は、麻酔のみを行った。これらの動物を、７日後、１４日後、および２８日後に再度試験し、１週間目、２週間目、３週間目、４週間目および６週間目に行動測定値を得た。
【００９０】
（前肢抑止試験）
この試験は、新皮質前方領域の機能的な保全性に関して、感度の高い測定を構成することが示されている。正常なラットにおいて、泳ぎは、後肢からの推進力によって達成される。前肢は、通常、任意の動作が抑止され、動かずに、そしてその動物の頚部の下部と一緒になったままである。前肢の抑止は、泳いでいる間、動物を撮影することによって評価された。動物を、室温の水（約２５℃）で深さ２５ｃｍまで満たした水槽（３０ｗ  ×  ９０ｌ  ×  ４３ｈ  ｃｍ）の一方の端に導入し、これらの動物が、９．５ｃｍ四方の可視的プラットフォームに泳ぐのを撮影した。このプラットフォームを、水面の２ｃｍ上に張り出させ、そして水槽の反対側の端に配置する。水槽の長さに沿った３回の泳ぎにおいて、各前肢によってなされることがある場合、動作回数の計数によって抑止のスコアリングを行った。泳ぎは、動物が、泳ぎを試行している間に水槽の側面に接触しなかった場合にのみ、スコアリング可能であるとみなした。
【００９１】
（脳の解剖学的分析）
６週目の終りに、動物に過剰用量のエタノール（Ｅｕｔｈａｎｏｌ）を与え、そしてピクリン酸中にある０．９％生理食塩水および４％パラホルムアルデヒドで心臓内を灌流した。この脳を凍結保護し、そしてビブラトームで、４０ミクロンに切った。５セットの切片を、４００ミクロンごとにした。２セットを染色した（一方をクレシルバイオレットで、そしてもう一方をダブルコルチンで）。残りのセットは、保存した。クレシルバイオレット染色を、スライド上で実施し、一方ダブルコルチンは、自由に浮遊する切片における免疫組織化学手順として実施した。クレシルバイオレット染色は、損傷範囲の評価を可能にし、一方、ダブルコルチンは、移動性の神経前駆細胞中に存在する微小管結合タンパク質を染色する。
【００９２】
（実施例１  神経幹細胞数は、妊娠中に増加する）
成体ＣＤ１マウスの前脳における神経幹細胞数を、妊娠マウス（６〜８週齢）および週齢の一致した処女マウスにおいて決定し、妊娠の影響を研究した。成体雌性マウスの前脳（両方の半球）の脳室下帯全体を、妊娠の間の種々の時点で収集し、切開し、酵素的に解離し、そして米国特許第５，７５０，３７６号に記載されているように、上皮増殖因子の存在下において、規定された培養培地中にプレーティングした。これらの細胞を、初代ニューロスフィアへと発生させた。７〜１０日後、ニューロスフィア数（この各々は、単一の幹細胞からクローン的に由来する）を計数した。
【００９３】
並行実験において、妊娠中のマウスの脳室下帯における増殖性細胞の数もまた評価した。マウスを、ブロモデオキシウリジン（ＢｒｄＵ）で標識し、そして脳室下帯の切片を、ＢｒｄＵ特異的抗体を用いたイムノアッセイに供した。
【００９４】
両方の測定の結果を、図１に示す。妊娠マウスの前脳において、ＮＳＣ数は、一過的に増加した；在胎７日目に初めて検出可能になり、在胎１４日目に最大値に達し（４０％増加）、そして出産時にベースラインに戻った。驚くべきことに、第２の増加が、出産後、産後の最初の週の間に起こった。ＢｒｄＵ免疫反応性細胞の数もまた、妊娠中に同様のパターンで増加し、これはＮＳＣ数における増加に先行した：在胎７日目に６５％増加し、そして在胎１４日目にベースラインに戻った。出産時に、ＢｒｄＵ免疫反応性細胞において第２の増加（３５％）が観察された。従って、ＮＳＣ数および脳室下帯における増殖は両方とも、妊娠中および／または産後期間の間に２つの波で増加する。
【００９５】
（実施例２  インビボにおけるプロラクチン効果）
実施例１に記載された、妊娠中および／または産後期間におけるＮＳＣ数増加の二波パターンは、同じ期間におけるプロラクチンレベルのパターンと類似する。プロラクチン濃度は、妊娠の前半の間に高く、次いで、妊娠の終わりまで減少し、妊娠の終わりに、乳汁分泌および母性行動におけるその役割（Ｆｒｅｅｍａｎら、２０００に概説される）におそらく起因して、再度上昇する。プロラクチンは最初、生殖ホルモンとして同定されたが、次いで、プロラクチンの機能は、非常に多岐に渡ることが明らかとなった。中枢神経系（ＣＮＳ）に対するプロラクチンの効果としては、母性行動、生殖行動、毛づくろい行動、給餌行動、睡眠−覚醒サイクル、視床下部ニューロンの刺激速度、ならびに神経伝達物質および神経ペプチドの代謝に対する作用が挙げられる。
【００９６】
プロラクチンがＮＳＣ数を増加させ得るか否かを決定するために、本発明者らは、皮下的（ＳＣ、６日間にわたり８μｇ／日）または脳室内（ＩＣＶ、６日間にわたり０．８μｇ／日）のいずれかで、６〜８週齢の卵巣切除されたマウスにプロラクチンを注入した。ＢｒｄＵを、同時に脳に注入して、脳における増殖活性を評価した。６日後に、ＢｒｄＵ免疫反応性細胞の数を、ＢｒｄＵ特異的抗体を用いて決定した。この結果から、プロラクチンの注入は、両方の経路を介して、前脳のＳＶＺにおいてＢｒｄＵ標識化細胞を増加させたことが示される（ＳＣについては５３％の増加、およびＩＣＶについては６１％の増加；図２Ａ）。従って、プロラクチンは、成体マウスにおけるＮＳＣの主要な位置である脳室下帯において細胞増殖を刺激し得る。
【００９７】
本発明者らはさらに、雌性動物および雄性動物におけるプロラクチンに対する応答を比較した。そしてこの結果を、図２Ｃに示す。プロラクチン（６日間にわたり０．８μｇ／日）またはプロラクチン放出ペプチド（６日間にわたり９ｐｇ／日）のいずれかの側脳室への注入は、６〜８週齢の雄性マウスの前脳ＳＶＺにおいて、増殖を、それぞれ５７％および３８％増加させた。これらの増加は、より低い程度ではあるが、週齢の一致した卵巣切除されていない雌において観察された増加（それぞれ、７４％および５６％）に匹敵した。従って、プロラクチンは、雄性動物および雌性動物の両方において、神経幹細胞の増殖を刺激し得る。
【００９８】
（実施例３  嗅覚ニューロンに対する妊娠およびプロラクチンの効果）
ＳＶＺの神経幹細胞は、嗅球における持続的な神経発生の供給源であるので、本発明者らは、神経幹細胞に対する妊娠およびプロラクチンの効果がまた、嗅覚の神経発生に反映されるか否かを研究した。処女６〜８週齢ＣＤ１マウスまたは週齢の一致した妊娠６〜８週齢ＣＤ１マウスに、ブロモデオキシウリジン（ＢｒｄＵ）を注射して、妊娠７日目または分娩後７日目に、実施例１におけるように有糸分裂細胞を標識した。ＢｒｄＵ注射から４週間後、脳の種々の部分におけるＢｒｄＵ標識化細胞の数を計数した。妊娠７日目に注射された妊娠マウスは、嗅球の顆粒細胞層およびドーパミン作用性の糸球体周囲細胞層の両方において、その処女対応動物よりも有意に多くのＢｒｄＵ標識化細胞を有した。これらの結果は、妊娠が、嗅球へと移動する神経前駆細胞を形成することが知られている脳室下帯において神経幹細胞を増加させるという観察と一致する。
【００９９】
嗅球のドーパミン作用性糸球体周囲層は、均一なニューロン集団を提示するので、次いで、本発明者らは、この層に焦点を当て、そしてＢｒｄＵ標識化チロシンヒドロキシラーゼと免疫反応性の糸球体周囲ニューロンの数を計数した。ＢｒｄＵ注射から２週間後または４週間後に、妊娠７日目および分娩後７日目の両方において、標識された妊娠マウスは、処女コントロールよりも５０〜１００％多くの新しい糸球体周囲ニューロンを有した。従って、ＳＶＺの神経幹細胞増殖の二波（それぞれ、妊娠の期間および分娩後の期間）の各々は、新たな嗅球介在ニューロン形成の倍加を生じさせる。
【０１００】
本発明者らはまた、妊娠マウスにおいて観察された嗅球における神経発生がまた、プロラクチンによって刺激されるか否かを決定した。成体マウスに、実施例２に記載のようにしてプロラクチンを注入し、そして新たな嗅覚介在ニューロンの数を決定した。この結果により、新たな嗅覚介在ニューロン数が、プロラクチン注入後４週間で倍加することが示され（図２Ｂ）、これにより、プロラクチン注入が、神経発生に対して、妊娠が有するのと同じ効果を有し、そしてプロラクチンが、この生理的プロセスを媒介する母性因子であることが示される。
【０１０１】
（実施例４  インビトロにおけるプロラクチンの効果）
培養された神経幹細胞に対するプロラクチンの効果を決定するために、初代幹細胞培養物を、材料および方法に記載のようにして調製した。この細胞を、基本培地に加えて、ＥＧＦ単独またはＥＧＦ＋プロラクチンの存在下において、７日間インキュベートした。生じたニューロスフィア（初代ニューロスフィア）の数を計数し、そしてニューロスフィアを分離させて、第２代ニューロスフィアを形成させた。プロラクチン単独は、インビトロにおいてニューロスフィア数を有意に増加させることはなかったが（データは示さず）、この結果により、ＥＧＦがニューロスフィアを増加させる効果を、プロラクチンが増強し得ることが示される（図３）。さらに、初代ニューロスフィアが第２代ニューロスフィアを生成する能力もまた、プロラクチンの存在下において２５％増加した（図３）。これにより初めて、プロラクチンが神経幹細胞に対して作用することが示される。
【０１０２】
（実施例５  プロラクチンはニューロンの分化を増強する）
ニューロスフィアを、実施例４に記載のように、ＥＧＦ単独またはＥＧＦ＋３０ｎＭプロラクチンの存在下において培養した。７日後に、ニューロスフィアを基本培地のみ中で分化させ、ニューロン数を、チューブリンについて免疫染色することによって決定し、計数し、そして全細胞のパーセンテージとして表した。図４に示されるように、ニューロンのパーセンテージは、プロラクチンを含ませてニューロスフィアを増殖させた場合に、２倍高くなった。従って、プロラクチンは、神経幹細胞からのニューロン形成を増強し得る。
【０１０３】
（実施例６  脳卒中モデルにおけるプロラクチンの効果）
脳損傷に罹患した動物におけるプロラクチン投与の効果を決定するために、限局的虚血性損傷を、脳卒中のモデルとしてラットの脳に導入した。脳損傷の結果として、この動物は、運動皮質に病変を有し、そして前肢抑止試験（これは、前部新皮質領域の機能的統合性に関する高感度な測定である）において異常に行動した。次いで、この動物は、種々の試験因子を受け、そして前肢抑止試験に対するこれらの因子の効果および脳の解剖学的構造を評価した。コントロールとして、偽性コントロール群は、偽性の脳損傷を受け、そしていかなる試験因子も受けず、そしてビヒクルコントロール群は、脳損傷および人工脳脊髄液（ＣＳＦ）の注入を受けた。各試験群が受けた処理を、以下にまとめる：
【０１０４】
【表１】
2005501924.tif 000005
脳損傷、注入、行動試験および解剖学的分析のスケジュールおよび手順は、材料および方法に記載される。
【０１０５】
脳損傷の前に、すべてのラットは、前肢抑止試験において、正常ラットから予期される両方の前肢を抑止された。損傷後、すべての虚血群（群２〜４）は、対側の前肢を抑止できなかったが、これらの群は、同側の前肢を抑止されたままであった。試験因子の注入に際して、２つのプロラクチン群（群３および群４）は、より高い前肢抑止を示した。実際、最終週の終わり（注入終了時から４週間後）に、プロラクチン＋ＥＰＯ群（群４）は、コントロールと区別不可能であった。従って、プロラクチンは、そして特にプロラクチンとＥＰＯとの組み合わせは、脳卒中の典型的な症状からの回復をもたらした。
【０１０６】
解剖学的に、プロラクチン群は、脳において高い程度のダブルコルチン染色を示し、これによりプロラクチンが広範な神経発生を誘導することが示された。プロラクチン＋ＥＰＯ群のラットは、拡大した脳室下帯を有した。これは、この領域における顕著な細胞増加を示す。さらに、多くのダブルコルチン陽性細胞は、病変領域（白質および側脳室）に現れた。ダブルコルチン陽性細胞の流動が、脳室下帯と病変領域との間で観察され得た。ダブルコルチンは、移動性の神経前駆細胞のマーカーであるので、これらの結果は、神経幹細胞が処置に際して神経前駆細胞を生じさせ、そしてこの前駆細胞が病変領域に移動したことを示す。病変領域における新たな増殖は、この群のラットの大半において、虚血性損傷によって作られた空洞を完全にまたは部分的に満たすほどに広範であった。従って、これらの解剖学的結果は、プロラクチンまたはプロラクチンとＥＰＯとの組み合わせを使用して、脳卒中のような脳損傷を処置し得るという行動試験を強く支持する。
【図面の簡単な説明】
【０１０７】
【図１】図１は、妊娠した雌マウスにおけるＳＶＺ増殖およびＮＳＣ数の時間経過を示す。＊年齢の一致した処女とは有意に異なる、ｐ＜０．０５。＊＊ｐ＜０．０１。Ｎ．Ｄ．：検出されず。
【図２】図２は、プロラクチン注入の効果を示す。ＰＲＬ：プロラクチン；ＶＥＨ：ビヒクル；ＰＲＰ：ＰＲＬ−放出ペプチド；２Ｗ：２週間；４Ｗ：４週間。＊ｐ＜０．０５。（Ａ）プロラクチン注入は、皮下経路および脳室内経路の両方を介して前脳ＳＶＺにおけるＢｒｄＵ標識細胞を増加した。（Ｂ）プロラクチン注入は、ＢｒｄＵ注入の２週間（２Ｗ）後および４週間（４Ｗ）後、嗅球における新しい糸球周囲細胞（ｐｅｒｉｇｌｏｍｅｒｕｌａｒ  ｎｅｕｒｏｎ）を増加させた。（Ｃ）プロラクチン注入は、雄および雌の哺乳動物における前脳ＳＶＺにおいてＢｒｄＵ標識細胞を増加させた。卵巣切除していない雌、および雄において、プロラクチン（ＰＲＬ）およびＰＲＬ放出ペプチド（ＰＲＰ）の脳室内注入は、ＳＶＺ増殖を刺激した。
【図３】図３は、プロラクチンが、ＥＧＦのニューロスフィアを増加させる効果を増強したことを示す。ＥＧＦの存在下において、プロラクチン（ＰＲＬ）は、神経幹細胞（ＮＳＣ）の増殖およびそれらの自己複製における用量依存性増加を誘発した。＊ｐ＜０．０５。＊＊ｐ＜０．０１。
【図４】図４は、プロラクチンが、神経幹細胞によって産生したニューロンの数を倍増させたことを示す。ＥＧＦ単独またはＥＧＦ＋３０ｎＭプロラクチン（ＰＲＬ）の存在下で増殖したニューロスフィアは、基本培地において分化し得た。そしてＥＧＦ＋プロラクチンにおいて増殖したニューロスフィアにおけるニューロンのパーセンテージは、ＥＧＦ単独において増殖したニューロスフィアにおけるニューロンのパーセンテージの二倍であった。＊ｐ＜０．０５。
【図１】
2005501924.tif 000006
【図２】
2005501924.tif 000007
【図３】
2005501924.tif 000008
【図４】
2005501924.tif 000009
【国際公開パンフレット】
2005501924.tif 000010
2005501924.tif 000011
2005501924.tif 000012
2005501924.tif 000013
2005501924.tif 000014
2005501924.tif 000015
2005501924.tif 000016
2005501924.tif 000017
2005501924.tif 000018
2005501924.tif 000019
2005501924.tif 000020
2005501924.tif 000021
2005501924.tif 000022
2005501924.tif 000023
2005501924.tif 000024
2005501924.tif 000025
2005501924.tif 000026
2005501924.tif 000027
2005501924.tif 000028
2005501924.tif 000029
2005501924.tif 000030
2005501924.tif 000031
2005501924.tif 000032
2005501924.tif 000033
2005501924.tif 000034
2005501924.tif 000035
2005501924.tif 000036
2005501924.tif 000037
2005501924.tif 000038
2005501924.tif 000039
2005501924.tif 000040
2005501924.tif 000041
2005501924.tif 000042
2005501924.tif 000043
2005501924.tif 000044
2005501924.tif 000045
2005501924.tif 000046
2005501924.tif 000047
2005501924.tif 000048
2005501924.tif 000049
2005501924.tif 000050
2005501924.tif 000051
2005501924.tif 000052
【国際公開パンフレット（コレクトバージョン）】
2005501924.tif 000053
【国際調査報告】
2005501924.tif 000054
2005501924.tif 000055
2005501924.tif 000056
2005501924.tif 000057
2005501924.tif 000058
2005501924.tif 000059
2005501924.tif 000060
2005501924.tif 000061